(57)【要約】      （修正有）【課題】使用形態を格段に広げることができ、かつ取扱性に優れたワイプ収納容器及びこのワイプ収納容器を備えたワイプディスペンサを提供する。【解決手段】本体４の収納部１２に収納したワイプ積層体３を蓋体５を開放して開口部１１から取り出すワイプディスペンサ１である。開口部１１から収納部１２に向けて嵌め込み可能なストッパ２１を備え、収納部１２内に収納されたワイプ積層体３をストッパ２１が受け止めることができるので、ユーザーは片手でもワイプ積層体３を引き出すことができる。【選択図】図１
2015140215.tif 000002
【特許請求の範囲】
【請求項１】
開口部及び収納部を有する本体と、前記開口部を被覆可能な蓋体とを備えたワイプ収納容器であって、
前記開口部から前記収納部に向けて嵌め込み可能なストッパを備えたことを特徴とするワイプ収納容器。
【請求項２】
本体は係合部を有し、
ストッパは、前記係合部と係合可能なストッパ係合部を有している請求項１記載のワイプ収納容器。
【請求項３】
本体はロック部を有し、
蓋体は、前記ロック部とロック可能な蓋体ロック部と、前記蓋体を補強するための補強リブとを有している請求項１又は２記載のワイプ収納容器。
【請求項４】
補強リブは、突出高さが一端部と他端部とで異なる請求項３記載のワイプ収納容器。
【請求項５】
本体は、ワイプ収納容器の設置対象に対して前記ワイプ収納容器が取付可能な取付部を有している請求項１〜４のいずれかに記載のワイプ収納容器。
【請求項６】
収納部は突出部を有している請求項１〜５のいずれかに記載のワイプ収納容器。
【請求項７】
請求項１〜６のいずれかに記載のワイプ収納容器の収納部にワイプ積層体を収納したことを特徴とするワイプディスペンサ。
【発明の詳細な説明】
【技術分野】
【０００１】
本発明は、ワイプ収納容器及びワイプディスペンサに関する。なお、本発明において「ワイプ」とは、拭き材の意味であり、特に、柔軟な繊維シートに薬液を付けたものであって、固体表面の不要物を拭き取る機能を持ったものを指す。例えば、ウェットティッシュ、ボディーウォッシュ、メーク落とし、トイレの便座クリーナー等のようなものである。
【背景技術】
【０００２】
ウェットティッシュ、ウェットシート等のように、水分、アルコール又はその他の薬品等を繊維シートに含浸させたワイプ製品が清掃用や清拭用等、各種の用途に利用されている。そのような液体を含浸させたワイプの収納形態にはいくつかの種類がある。従来から知られている収納形態としては、例えばミシン目を介して繋がった一つながりの長尺のワイプを円筒形のプラスチック製ボトル内に収納したいわゆるボトルタイプや、多数枚のワイプを積層したワイプ積層体をプラスチックフィルム製の袋体内に収納したいわゆる袋タイプ等がある（例えば、特許文献１、２）。
【先行技術文献】
【特許文献】
【０００３】
【特許文献１】特開２０１０−１１６２００号公報
【特許文献２】特開平９−１５６６７６号公報
【発明の概要】
【発明が解決しようとする課題】
【０００４】
上記したボトルタイプのワイプディスペンサは、後続のワイプと繋がっている先端のワイプをボトル内から引っ張り出すと、その際にワイプに付与される抵抗力によって最先端のワイプのみがミシン目で切り離され、一枚のワイプとして取り出されるように構成されている。しかし、このようなボトルタイプのワイプディスペンサは、ワイプを一枚ずつ引き出すのに相当な力が必要となる。また、ボトルタイプのワイプディスペンサは、ワイプを引き出す際には、一方の手でワイプの先端を持ち、他方の手でボトルをしっかりと持たなければならない。そのため、ワイプを引き出す際の手間がかかりやすく、特に高齢者等にとっては使い難いものであった。
【０００５】
これに対し、一枚毎に独立したワイプを積層させてプラスチックフィルム製の袋体に収納した袋タイプのワイプディスペンサは、ボトルタイプのワイプディスペンサに比べてワイプを引き出す時の力は必要とせず、片手でもワイプを取り出すことはできる。しかし、袋タイプのワイプディスペンサは、卓上等に横向きに置いて使用することになるので、美的な印象が優れなかったり、ボトルタイプに比べて置くスペースが多く必要になるために、例えばトイレ等のような狭いスペースに置いておくことができず、使用時にその都度ワイプディスペンサを持ち運ばなければいけないという煩わしさがあった。一方、袋タイプのワイプディスペンサを単に縦向きに置いたのでは、蓋体の開閉がし難いだけでなく、蓋体を開いた時に内部に収納されたワイプ積層体が外部に出てしまったりすることがあるので、ユーザーは一方の手でワイプの先端を持ってワイプを引き出し、他方の手でワイプ積層体が外部に出ないよう抑えなければいけないという煩わしさが生じてしまうおそれがあった。また、従来から使用されているボトルタイプのような縦置きのワイプディスペンサを好むユーザーもおり、袋タイプのワイプディスペンサでは、このようなユーザーのニーズに応えることができずにいた。
【０００６】
本発明は、このような問題点に鑑みてなされたもので、使用形態を格段に広げることができ、かつ取扱性に優れたワイプ収納容器及びワイプディスペンサを提供することを目的とする。
【課題を解決するための手段】
【０００７】
本発明に係るワイプ収納容器は、
（１）開口部及び収納部を有する本体と、前記開口部を被覆可能な蓋体とを備えたワイプ収納容器であって、前記開口部から前記収納部に向けて嵌め込み可能なストッパを備えたことを特徴とするワイプ収納容器、
（２）本体は係合部を有し、ストッパは、前記係合部と係合可能なストッパ係合部を有している上記（１）記載のワイプ収納容器、
（３）本体はロック部を有し、蓋体は、前記ロック部とロック可能な蓋体ロック部と、前記蓋体を補強するための補強リブとを有している上記（１）又は（２）記載のワイプ収納容器、
（４）補強リブは、突出高さが一端部と他端部とで異なる上記（３）記載のワイプ収納容器、
（５）本体は、ワイプ収納容器の設置対象に対して前記ワイプ収納容器が取付可能な取付部を有している上記（１）〜（４）のいずれかに記載のワイプ収納容器、
（６）収納部は突出部を有している上記（１）〜（５）のいずれかに記載のワイプ収納容器を要旨とする。
【０００８】
また、本発明に係るワイプディスペンサは、
（７）上記（１）〜（６）のいずれかに記載のワイプ収納容器の収納部にワイプ積層体を収納したことを特徴とするワイプディスペンサを要旨とする。
【発明の効果】
【０００９】
本発明によれば、開口部から収納部に向けて嵌め込み可能なストッパを備え、収納部内に収納されたワイプ積層体をストッパが受け止めることができるので、ユーザーは片手でもワイプを引き出すことができる。したがって、ユーザーは、ワイプを容易に引き出すことができ、取扱性を向上させることができる。また、本発明によれば、狭いスペースに容易に配置することができるので、使用する時にその都度ワイプディスペンサを持ち運ぶというような取扱いの煩雑さを解消し、快適に使用することができる。
【図面の簡単な説明】
【００１０】
【図１】本発明に係るワイプディスペンサの構成を表す分解斜視図である。
【図２】本発明に係るワイプ収納容器の構成を表す斜視図である。
【図３】ワイプ収納容器を後側から表す斜視図である。
【図４】図２のＡ−Ａ線断面図である。
【図５】図２のＢ−Ｂ線断面図である。
【図６】図３のＣ−Ｃ線断面図である。
【発明を実施するための形態】
【００１１】
本発明に係るワイプディスペンサの構成を図１に基づいて説明する。図１は、本発明に係るワイプディスペンサの構成を表す分解斜視図である。
【００１２】
ワイプディスペンサ１は、ワイプ収納容器２とワイプ積層体３とで構成されており、ワイプ収納容器２に形成されている収納部１２にワイプ積層体３が収納されている。
【００１３】
図１及び図２に示すように、ワイプ収納容器２は、本体４、蓋体５及びストッパ６を備えている。このワイプ収納容器２は、例えばポリエチレン、ポリプロピレン等のような樹脂材料を用いて一体的に成形されているが、収納容器２の成形方法や成形に用いる材料はこれに限定されるものではない。
【００１４】
本体４は、開口部１１、収納部１２、ロック部１３、取付部１４、係合部１５、及び突出部１６を有している。開口部１１は、ワイプ積層体３を本体４の内部に収納したり、収納されたワイプ積層体３からワイプ３ａを取り出す際に使用するための開口である。収納部１２は、本体４に形成されており、ワイプ積層体３が収納可能で、かつストッパ６が嵌め込み可能な大きさに形成されている。なお、収納部１２は、ワイプ積層体３を収納した時に、このワイプ積層体３の上方に隙間１７を形成し、ワイプ３ａを取り出す際の取り出しやすさが向上されるように形成してもよい。ロック部１３は、蓋体５が閉じられた時に、その閉じた状態を維持するためのものであり、本体４の上部に突起状に形成されている。なお、ロック部１３は、蓋体５が閉じた状態を維持できればよく、形成する位置や形状は任意に決定してよい。
【００１５】
取付部１４は、後述する取付部材を取り付けるためのものであり、本実施の形態ではワイプ収納容器２の奥側に位置する奥壁部１８に形成されている。また、本実施の形態では、取付部１４は、奥壁部１８の背面１８ａから一段凹んだ凹部を形成し、この凹部の中に孔が開口形成するように形成されている。なお、この取付部１４は、取付部材を取付固定することができれば、他の形状であってもよい。また、取付部１４を形成する位置は奥壁部１８以外の位置であってもよい。
【００１６】
係合部１５は、ストッパ６を収納部１２内に配置した時に、該ストッパ６が収納部１２内に配置された状態を維持するためのものである。本実施の形態では、係合部１５は、本体４の側壁部１９の内周面１９ａから収納部１２に向けて突出し、ストッパ６に形成されている後述するストッパ係合部２１と係合することができるように形成されている。なお、この係合部１５は、側壁部１９の内周面１９ａに沿って形成し、ストッパ６を図２のＺ方向へスライド移動させることができるように構成してもよい。また、ストッパ６をスライド移動させる場合に、側壁部１９の内周面１９ａに沿って、該内周面１９ａから収納部１２に向けて突出形成させたストッパ突出部２２を形成して、ストッパ６をよりスライド移動させやすくしてもよい。なお、係合部１５は、ストッパ６が収納部１２内に配置された状態を維持することができればよく、他の構成であってもよい。例えば、係合部１５を側壁部１９の内周面１９ａから収納部１２に向けて突出形成し、後述するストッパ係合部２１を係合部１５と対応する位置に形成してもよいし、これ以外の構成にしてもよい。
【００１７】
突出部１６は、収納部１２にワイプ積層体３が収納された時に、収納部１２内においてワイプ積層体３を傾かせ、奥壁部１８にワイプ積層体３が密着するのを防止するためのもので、収納部１２内において奥壁部１８から収納部１２内に向けて突出するように形成されている。この突出部１６も、ワイプ積層体３と奥壁部１８とが密着しないようにすることができれば、形状や形成する位置は任意に決定してよいが、ワイプ積層体３の上方に形成される隙間１７を大きく確保してワイプ３ａの取り出しやすさを向上させる観点から、奥壁部１８の上部に形成することが好ましい。また、突出部１６は、本実施の形態において示すように、奥壁部１８の背面１８ａに対して凹状の取付部１４を形成し、その凹み深さ分だけ、収納部１２内には奥壁部１８の奥面１８ｂから突出した突出部１６が形成されると言うように、取付部１４と併せて形成してもよいし、取付部１４とは別に形成してもよい。
【００１８】
なお、図４に示すように、本体４の外周縁部２３には溝２４が形成されており、この溝２４には蓋体５を閉じた時に収納部１２内の気密性を確保するためのパッキン２５が設けられている。
【００１９】
蓋体５は、ワイプ収納容器２において本体４の開口部１１を開閉し、閉じた時には開口部１１を被覆することができるように形成されている。この蓋体５は、一端部が本体４と連結しており、これら蓋体５と本体４とが連結するヒンジ部２６を中心に回動することができるように構成されている。また、蓋体５は、周縁部２７、蓋体ロック部２８及び補強リブ２９を有している。
【００２０】
周縁部２７は、蓋体５の外周部分に全体的に形成されており、端面がパッキン２５と接する密着面２７ａとなっている。蓋体ロック部２８は、ヒンジ部２６が形成されている一端部とは反対側の他端部に形成されている。この蓋体ロック部２８は、本体４に形成されているロック部１３と係合して、蓋体５が閉じられている時にその閉じられた状態を維持するためのものである。なお、蓋体ロック部２８は、本体４のロック部１３とロックすることができればよく、その形状及び設置位置は限定されない。
【００２１】
補強リブ２９は、蓋体５の強度を向上させるとともに、蓋体５の全体における平面性を向上させるためのものである。図２に示すように、補強リブ２９は、蓋体５の蓋面５ａから突出するように形成されている。なお、補強リブ２９は、蓋体５においてｘ方向の両端に対向するように配置することが蓋体５の強度確保及び蓋体５の平面性向上の観点からは好ましい。また、図５に示すように、補強リブ２９は、一端部に近い位置での突出高さＨ１と、他端部に近い位置での突出高さＨ２が異なり、他端部に近い位置での突出高さＨ２が一端部に近い位置での突出高さＨ１よりも高くなるように形成されている。これにより、他端部に近い位置での蓋体５の湾曲を抑えるとともに蓋体５を補強することができ、蓋体５全体の平面性をより確実に確保することができるようになっている。なお、この補強リブ２９は、蓋体５の全体における平面性及び強度を向上させる観点から、蓋体５を成形する時に一体成形されることが好ましい。
【００２２】
ストッパ６は、本体４の収納部１２に収納されたワイプ積層体３が収納部１２内に収納された状態を維持させて、収納部１２の外部へ飛び出るのを防止するためのものである。図１に示すように、ストッパ６は、コ字形に形成されており、収納部１２内においてワイプ積層体３を受け止める受け止め部３１と、受け止め部３１のｘ方向両端からｙ方向に向けて延出する脚部３２とを有している。受け止め部３１は、ストッパ６が収納部１２内に収納された時の位置が、本体４の開口部１１が形成されている位置と略面一となる位置に配置される。この受け止め部３１には、ユーザーがストッパ６を取り扱う際に使用したり、ワイプ３ａを収納部１２から取り出す際に該ワイプ３ａを通過させるのに使用することができる孔３３が形成されている。なお、この孔３３は、上記したユーザーの取扱い及びワイプ３ａの取出しの両方の用途として用いてもよいし、上記したいずれかのみの用途として用いてもよい。脚部３２は、ｘ方向の後端に位置する端面が本体４の奥壁部１８の奥面１８ｂと当接する当接面３４となっている。また、脚部３２は、ｘ方向の前端に位置する位置に、ストッパ係合部２１が形成されている。ストッパ係合部２１は、段差を有するように形成されており、このストッパ係合部２１が本体４の係合部１５と係合するように形成されている。なお、このストッパ係合部２１は、ストッパ６におけるｚ方向の一端から他端まで、全体的に形成されていることが好ましい。ストッパ係合部２１をこのように形成することで、収納部１２内においてスライド移動しやすくすることができる。
【００２３】
ワイプ積層体３は、複数枚のワイプ３ａを連続的に折り重ね合わせて形成されている。ワイプ積層体３は、個別に独立した枚葉のワイプ３ａをいわゆるＺ折り等の態様で折りたたんで、隣り合うワイプ３ａ同士を互いに端部で重ね合わせたもの等であってもよい。
【００２４】
ワイプ３ａの素材は、例えば合成繊維もしくは天然繊維からなる紙、織布又は不織布等を用いて成形された基布に薬液等を含浸させたものである。薬液等としては、例えば、アルコール類、水又はこれらの混合物が挙げられるが、香料、抗菌剤、消臭剤、界面活性剤、防腐剤、色素、消泡剤、酸化防止剤、清澄剤、可溶化剤等を配合してもよい。また、その他の材料からなる基布や薬液等を使用してもよい。
【００２５】
そのようなワイプ積層体３の最先端のワイプ３ａを引っ張ると、隣り合うワイプ３ａ同士が各々重なり合っていることにより、最先端のワイプ３ａに続いて後続のワイプ３ａも移動する。そして、最先端のワイプ３ａが引っ張られる際に生じる抵抗力により、最先端のワイプ３ａのみが後続から分離されて一枚のワイプ３ａとして取り出される。
【００２６】
取付部材は、ワイプ収納容器２を壁Ｗ等のような設置対象に取り付けるためのものである。この取付部材は、壁等にワイプ収納容器２を取り付けることができれば、従来から公知のものを任意に使用してよく、例えば吸盤やマグネットを用いたり、両面テープで貼りつけたり、ネジ止めすることができる。ここでは、取付部材の例として吸盤８１を使用した例を用いて説明する。
【００２７】
吸盤８１は、ワイプ収納容器２の取付部１４に取り付けられるように構成されており、取付部１４に取り付けられると吸着面８１ａがワイプ収納容器２の後方を向くようになっている。ワイプ収納容器２は、この吸盤８１を介して該ワイプ収納容器２の後方に位置する壁や柱等に取付固定される。なお、吸盤８１は、一つだけ取り付けてもよいし、複数個を取り付けてもよい。例えば、複数個の吸盤８１を用いて壁等に固定すれば、ガタツキのない非常に安定した状態で使用することができる。また、本実施の形態では、取付部１４がワイプ収納容器２の奥壁部１８に設けられているのでワイプ収納容器２の後方に設けられているが、これに限定されるものではない。
【００２８】
このように構成されたワイプディスペンサ１は、ワイプ収納容器２の開口部１１から収納部１２に向けてワイプ積層体３が収納される。そして、その後にワイプ収納容器２の開口部１１から収納部１２に向けてストッパ６が嵌め込まれる。この時、ストッパ６は、脚部３２の当接面３４が奥壁部１８の奥面１８ｂと当接し、ストッパ係合部２１が本体４の係合部１５と係合する位置まで嵌め込まれる。このようにストッパ６を嵌め込むと、ストッパ６が収納部１２内に配置された状態が維持される。そして、収納部１２内にストッパ６を配置することで、収納部１２内に収納されたワイプ積層体３が収納部１２内に収納された状態を維持することができる。また、ワイプ積層体３からワイプ３ａを取り出す時も、ストッパ６が受け止め部３１においてワイプ積層体３を受け止めるので、ワイプ積層体３を収納部１２内に収納した状態を維持しつつ、ワイプ３ａを確実に取り出すこともできる。さらに、ストッパ６をスライド移動することができるように構成している場合には、このワイプ積層体３をより確実に収納部１２内に収納した状態を維持することができる。
【００２９】
本実施の形態に係るワイプディスペンサ１及びワイプ収納容器２は、蓋体５に補強リブ２９を形成している。そのため、蓋体５の強度を向上させることができ、蓋体５の成形時に蓋体５が湾曲することを防止し、蓋体５を平面状に形成することができる。そして、蓋体５を閉じた時に、該蓋体５の密着面２７ａと本体４に設けられたパッキン２５とを確実に密接させることができる。一般に、所定の樹脂材料を金型内に入れて成形する金型成形によりワイプ収納容器２を成形する場合には、ワイプ収納容器２の成形品を金型から取り出すと、その後の収縮等に基づく変形が発生しやすく、特に蓋体５のように略平板状に形成されたものの変形量は大きくなる。しかし、本実施の形態に係るワイプ収納容器２では、そのように大きな変形等が発生しやすい蓋体５に補強リブ２９を形成しているので、蓋体５の大きな変形を確実に防止することができる。また、本実施の形態に係るワイプ収納容器２は、本体４のロック部１３と蓋体５の蓋体ロック部２８とにより、蓋体５を閉じた状態を確実に維持することができる。したがって、本実施の形態に係るワイプ収納容器２によれば、蓋体５に補強リブ２９を形成することによって、蓋体５を閉じた時における収納部１２内の気密性を確保することができ、ワイプ積層体３に含浸した薬液等が揮発することを確実に防止することができる。特に本実施の形態では、補強リブ２９の突出高さを一端部と他端部とで異ならせており、他端部の突出高さＨ２が一端部の突出高さＨ１よりも高くなるように形成されている。そのため、上記した理由により大きな変形が生じがちな蓋体５の他端部側の平面性をより向上させ、蓋体５を閉じた時における収納部１２内の気密性をより確保することができる。
【００３０】
また、本実施の形態に係るワイプディスペンサ１及びワイプ収納容器２は、吸盤８１を取り付けることができる取付部１４を有しているので、この取付部１４に吸盤８１を取り付けて設置対象となる壁等に対してワイプ収納容器２を取り付けることができる。したがって、本実施の形態に係るワイプ収納容器２は、設置するスペースを減少させることができ、さらには壁や柱等に掛けて使用する等、使用形態を格段に広げることができる。また、このようにワイプ収納容器２を構成することで、ユーザーは片手でワイプ３ａを引っ張れば該ワイプ３ａを取り出すことができるとともに、ワイプ３ａを引っ張る際の力も少なくてよく、ワイプ３ａと取り出す時の煩雑さを感じさせず、取扱性を向上させることもできる。また、本実施の形態に係るワイプ収納容器２は、取付部１４を凹状に形成しているので、例えば吸盤８１を用いて壁等に吸着させた時に、壁面とワイプ収納容器２の奥壁部１８の背面との間隔を小さくすることができる。そのため、ワイプ３ａを取り出す動作に合わせてワイプ収納容器２が壁Ｗ等の設置対象に対して大きく動いてしまったりする煩わしさを解消することができ、より使用時における煩わしさを低減することができる。
【００３１】
さらに、本実施の形態に係るワイプディスペンサ１及びワイプ収納容器２は、収納部１２に突出部１６を有しているので、収納部１２内に収納したワイプ３ａが奥壁部１８と密着するのを防止することができるとともに、ワイプ積層体３をより開口部１１に近づけることができる。したがって、本実施の形態に係るワイプ収納容器２によれば、ワイプ積層体３の嵩高が少なくなった場合においてもワイプ３ａを取り出しやすくすることができる。さらに、本実施の形態に係るワイプディスペンサ１は、収納部１２内に収納したワイプ積層体３の上方に隙間１７を形成することで、ワイプ３ａを取り出す時の取り出しやすさを確保することができる。特に、ワイプ収納容器２が上記した突出部１６を有しているので、ワイプ積層体３の上部を突出部１６に接するように、そしてワイプ積層体３の下部を奥面１８ｂに接するようにしてワイプ積層体３を配置することで、該ワイプ積層体３を収納部１２内において湾曲するようにして配置させることができる（図６参照）。ワイプ積層体３をこのように配置することでワイプ収納容器２の開口部に近い側の隙間１７をより大きくすることができ、ユーザーがワイプ３ａを取り出す際の取り出しやすさをより向上させることもできる。
【００３２】
以上、本発明に係るワイプ収納容器２及びワイプディスペンサ１の構成及び作用効果について詳細に説明したが、上記の実施例に限定されるものではなく、特許請求の範囲に記載された発明の概念に含まれる全ての態様を含むものである。
【符号の説明】
【００３３】
１  ワイプディスペンサ
２  ワイプ収納容器
３  ワイプ積層体
３ａ  ワイプ
４  本体
５  蓋体
６  ストッパ
１１  開口部
１２  収納部
１３  ロック部
１４  取付部
１５  係合部
１６  突出部
２１  ストッパ係合部
２２  ストッパ突出部
２８  蓋体ロック部
２９  補強リブ
８１  吸盤
【図１】
2015140215.tif 000003
【図２】
2015140215.tif 000004
【図３】
2015140215.tif 000005
【図４】
2015140215.tif 000006
【図５】
2015140215.tif 000007
【図６】
2015140215.tif 000008